(57)【特許請求の範囲】
【請求項１】
支柱と、支柱の上部を連結する梁と、梁の上面に載置される天板と、側面を覆うカーテンとからなるブースにおいて、カーテンを吊り下げるカーテン支持部材の端部を、支柱の上端部に形成した保持部に固定し、前記カーテン支持部材の中間部によって梁の上面に載置した天板の側縁部を押さえて固定するようにしたことを特徴とするブース。
【請求項２】
天板の側縁に天板に対して略直角に折り曲げて形成した係止爪を、梁の上面に形成したスリットに、挿入、係止するようにしたことを特徴とする請求項１記載のブース。
【請求項３】
梁間に補助梁を架設し、該補助梁の側面に形成したスリットに、天板の側縁に水平に形成した係止爪を、挿入、係止するようにしたことを特徴とする請求項１又は２記載のブース。
【発明の詳細な説明】
【技術分野】
【０００１】
本発明は、電子部品の組立等の清浄雰囲気や恒温雰囲気を必要とする各種作業を行うために、限られた必要箇所のみを清浄、恒温雰囲気に保持するために用いられるブースに関するものである。
【背景技術】
【０００２】
従来、ブース５０は、図６〜図９に示すように、４本の支柱５２と、この支柱５２の上部を連結する梁５１と、梁５１上に載置する正方形又は矩形状の天板５３とからその主要部が構成され、天板５３には吸引ファンＦとフィルタ（図示省略）を配設し、使用に際しては天板５３から支柱５２を取り囲むように透明の合成樹脂製のシート材からなるカーテン５４を取り付け、吸引ファンＦにより外部空間の空気を吸引しフィルタにより濾過して浄化空気とし、浄化空気を噴出孔から下降流として吹き出すようにし、ブース空間を清浄な雰囲気とするようにしている（例えば、特許文献１参照）。
【０００３】
このブース５０を組み立てる場合、図７（ａ）に示すように、まず２本の支柱５２、５２を梁５１で連結したコ字状の仮組体５５を２組組み立て、これを４人以上の人手や重機を利用して立設させ、図７（ｂ）に示すように、対面する支柱５２、５２同士を梁５１で連結する。
【０００４】
その後、梁５１及び補助梁５１ａ、５１ｂで格子状に区画した上に天板５３を載置し、カーテン５４を取り付ける。
この場合、天板５３は、梁５１と補助梁５１ａ、５１ｂで格子状に区画したサイズに形成され、図８〜図９に示すように、ビスやボルト・ナット等の締結具によって梁５１及び補助梁５１ａ、５１ｂに固定するようにする。
そして、カーテン５４を、カーテン押さえ５４ａと梁５１との間に挟み込み、カーテン押さえ５４ａを梁５１にビスやボルト・ナット等の締結具で固定することによって取り付けるようにする。
【０００５】
ところで、上記従来のブース５０は、天板５３及びカーテン５４を取り付けるために多数のビスやボルト・ナット等の締結具を使用する必要があり、組立作業が繁雑となって時間を要するとともに、部品点数が増加することによって製品コストが嵩むという問題があった。
【特許文献１】特開平５−１５７３０１号公報
【発明の開示】
【発明が解決しようとする課題】
【０００６】
本発明は、上記従来のブースの有する問題点に鑑み、ビスやボルト・ナット等の締結具の使用点数を低減し、組立作業を簡易に短時間で行うことができるとともに、部品点数の低減によって製品コストを低廉にできるブースを提供することを目的とする。
【課題を解決するための手段】
【０００７】
上記目的を達成するため、本発明のブースは、支柱と、支柱の上部を連結する梁と、梁の上面に載置される天板と、側面を覆うカーテンとからなるブースにおいて、カーテンを吊り下げるカーテン支持部材の端部を、支柱の上端部に形成した保持部に固定し、前記カーテン支持部材の中間部によって梁の上面に載置した天板の側縁部を押さえて固定するようにしたことを特徴とする。
【０００８】
この場合において、天板の側縁に天板に対して略直角に折り曲げて形成した係止爪を、梁の上面に形成したスリットに、挿入、係止するようにすることができる。
【０００９】
また、梁間に補助梁を架設し、該補助梁の側面に形成したスリットに、天板の側縁に水平に形成した係止爪を、挿入、係止するようにすることができる。
【発明の効果】
【００１０】
本発明のブースによれば、支柱と、支柱の上部を連結する梁と、梁の上面に載置される天板と、側面を覆うカーテンとからなるブースにおいて、カーテンを吊り下げるカーテン支持部材の端部を、支柱の上端部に形成した保持部に固定し、前記カーテン支持部材の中間部によって梁の上面に載置した天板の側縁部を押さえて固定するようにしているので、天板及びカーテンを取り付けるためにビスやボルト・ナット等の締結具を必要とせず、ビスやボルト・ナット等の締結具の使用点数を低減することによって、組立作業を簡易に短時間で行うことができる。
また、部品点数を低減することができるため、製品コストを低廉にできる。
【００１１】
また、天板の側縁に天板に対して略直角に折り曲げて形成した係止爪を、梁の上面に形成したスリットに、挿入、係止するようにすることにより、天板の位置決めを正確に行うことができるとともに、ブース組立後に天板が設置位置からずれるのを防止することができる。
【００１２】
また、梁間に補助梁を架設し、該補助梁の側面に形成したスリットに、天板の側縁に水平に形成した係止爪を、挿入、係止するようにすることにより、梁と補助梁で格子状に区画したサイズに形成することにより取り扱い易くした天板を、ビスやボルト・ナット等の締結具を使用せずに取り付けることができる。
【発明を実施するための最良の形態】
【００１３】
以下、本発明のブースの実施の形態を、図面に基づいて説明する。
【００１４】
図１〜図３に、本発明のブースの一実施例を示す。
このブース１は、クリーンブースとも呼ばれるもので、４本の支柱２と、この支柱２の上部を連結する梁３と、梁３上に載置する正方形又は矩形状の天板５とからその主要部が構成され、天板５には吸引ファンＦとフィルタ（図示省略）を配設し、使用に際しては天板５から支柱２を取り囲むように透明の合成樹脂製のシート材からなるカーテン４を取り付け、吸引ファンＦにより外部空間の空気を吸引、あるいはブース内部の空気を循環させ、フィルタにより濾過して浄化空気とし、浄化空気を噴出孔から下降流として吹き出すようにし、ブース空間を清浄な雰囲気とするようにしている。
【００１５】
なお、カーテン４に使用するシート材は、無色透明のシート材のほか、ブース１の用途等に応じて、紫外線を遮断する場合は黄色、単なる遮光は黒色、防虫はオレンジ色等のシート材を使用することができる。
【００１６】
このブース１を組み立てる場合、特に限定されるものではないが、例えば、従来のブース５０と同様、まず２本の支柱２、２を梁３で連結したコ字状の仮組体を２組組み立て、これを４人以上の人手や重機を利用して立設させ、対面する支柱２、２同士を梁３で連結する。
【００１７】
その後、梁３及び補助梁３ａ、３ｂで格子状に区画した上に天板５を載置し、カーテン４を取り付ける。
【００１８】
ところで、本実施例においては、梁３と補助梁３ａ、３ｂで格子状に区画したサイズに形成することにより取り扱い易くした天板５の側縁に水平に係止爪５ｂを形成し、この係止爪５ｂを、梁３、３間に架設した一方の補助梁３ｂの側面に形成したスリットＳｂに、挿入、係止するとともに、これと対向する天板５の側縁に天板５に対して略直角に折り曲げて係止爪５ａを形成し、この係止爪５ａを梁３の上面に形成したスリットＳａに、挿入、係止するようにする。
【００１９】
そして、図２及び図３に示すように、カーテン４の上端部を折り返して形成した筒状部４ａに挿通されて、カーテン４を吊り下げる断面円形又は矩形の棒状又はパイプ状のカーテン支持部材４ｂ１の端部を、支柱２の上端部に切り欠いて形成した溝状の保持部２ａ１に嵌め込み、支柱２の開口部に上部からキャップＣを嵌着することにより固定し、これにより、カーテン支持部材４ｂ１の中間部によって梁３の上面に載置した天板５の側縁部を押さえて固定するようにする。
さらに、このカーテン支持部材４ｂ１と直交する側のカーテン支持部材４ｂ２も同様にその端部を、支柱２の上端部に切り欠いて形成した溝状の保持部２ａ２にカーテン支持部材４ｂ１と干渉しないように嵌め込み、支柱２の開口部に上部からキャップＣを嵌着することにより１箇所で固定することができ、さらに、必要に応じて、このカーテン支持部材４ｂ２の中間部によって梁３と直交する側の梁３の上面に載置した天板５の側縁部（カーテン支持部材４ｂ１の中間部によって押さえて固定するようにした天板５の側縁部と直交する側の側縁部）を押さえて固定するようにすることもできる。
【００２０】
これにより、天板５及びカーテン４を取り付けるためにビスやボルト・ナット等の締結具を必要とせず、ビスやボルト・ナット等の締結具の使用点数を低減することによって、組立作業を簡易に短時間で行うことができる。
また、部品点数を低減することができるため、製品コストを低廉にできる。
さらに、天板５の位置決めを正確に行うことができるとともに、ブース組立後に天板５が設置位置からずれるのを防止することができる。
【００２１】
ところで、本実施例においては、梁３と補助梁３ａ、３ｂで格子状に区画したサイズに形成することにより取り扱い易くした天板５を使用したが、例えば、梁３、３間に架け渡すことができる長尺の天板を使用する場合には、補助梁３ｂを省略して、天板５の対向する両側縁に天板５に対して略直角に折り曲げて係止爪５ａ、５ａを形成し、この係止爪５ａ、５ａを梁３、３の上面に形成したスリットＳａ、Ｓａに、挿入、係止し、カーテン支持部材４ｂ、４ｂによって梁３、３の上面に載置した天板５の側縁部を固定するようにしたり、一方の係止爪を水平の係止爪５ｂに形成し、この係止爪５ｂを、一方の梁３の側面に形成したスリットに、挿入、係止するとともに、これと対向する天板５の側縁に天板５に対して略直角に折り曲げて係止爪５ａを形成し、この係止爪５ａを梁３の上面に形成したスリットＳａに、挿入、係止するようにすることもできる。これらの場合には、梁３の上面に載置した長尺の天板５の両側縁部あるいは一側縁部を、カーテン支持部材の中間部によって押さえて固定することになる。
【００２２】
また、上記実施例においては、天板５の側縁に係止爪５ａ、５ｂを形成し、この係止爪５ａ、５ｂを梁３に形成したスリットＳａ、Ｓｂに、挿入、係止するようにしたが、天板５と梁３との接合部は、必ずしもこの構造を採用する必要はなく、例えば、図４に示すように、天板５の側縁に天板５に対して斜め上方に折り曲げて係止縁５ｃを形成し、カーテン支持部材４ｂの中間部によって梁３の上面に載置した天板５の側縁部である係止縁５ｃを押さえて固定するようにしたり、図５に示すように、天板５の側縁部に段部５ｄを形成し、カーテン支持部材４ｂの中間部によって梁３の上面に載置した天板５の側縁部を押さえて固定するようにすることができる。
これにより、梁３にスリットＳａ、Ｓｂを形成する必要がなくなるため、製品コストを低廉にできる。
【００２３】
以上、本発明のブースについて、その実施例に基づいて説明したが、本発明は上記実施例に記載した構成に限定されるものではなく、実施例に記載した構成を適宜組み合わせるなど、その趣旨を逸脱しない範囲において適宜その構成を変更することができるものである。
【産業上の利用可能性】
【００２４】
本発明のブースは、ビスやボルト・ナット等の締結具の使用点数を低減し、組立作業を簡易に短時間で行うことができるとともに、部品点数の低減によって製品コストを低廉にできるという特性を有していることから、実施例に記載したクリーンブースの用途に好適に用いることができるほか、温調機を備えた温調用ブース（ブース空間の空気の少なくとも一部を温調機との間で循環させるように循環式温調用ブース、フィルタを配設した温調用クリーンブース等を含む）等の温調用ブース（恒温用ブースを含む）等の各種ブースに広く適用できるものであって、これらを排除しないものである。
【図面の簡単な説明】
【００２５】
【図１】本発明のブースの一実施例を示す外観斜視図である。
【図２】同要部の平面図である。
【図３】（ａ）は図２のＸ１−Ｘ１断面図、（ｂ）は図２のＸ２−Ｘ２断面図である。
【図４】本発明のブースの第１変形実施例を示す図３（ａ）に相当する断面図である。
【図５】本発明のブースの第２変形実施例を示す図３（ａ）に相当する断面図である。
【図６】従来のブースを示し、（ａ）は平面図、（ｂ）は正面図である。
【図７】従来のブースの骨組みの組立工程を示し、（ａ）は第１工程を、（ｂ）は第２工程である。
【図８】同要部の平面図である。
【図９】図８のＸ３−Ｘ３断面図である。
【符号の説明】
【００２６】
１    ブース
２    支柱
２ａ１  保持部
２ａ２  保持部
３    梁
３ａ  補助梁
３ｂ  補助梁
４    カーテン
４ａ  カーテンの筒状部
４ｂ  カーテン支持部材
４ｂ１  カーテン支持部材
４ｂ２  カーテン支持部材
５    天板
５ａ  係止爪
５ｂ  係止爪
５ｃ  係止縁
５ｄ  段部
Ｃ    キャップ
Ｓａ  スリット
Ｓｂ  スリット
【図１】
0004549278.tif 000002
【図２】
0004549278.tif 000003
【図３】
0004549278.tif 000004
【図４】
0004549278.tif 000005
【図５】
0004549278.tif 000006
【図６】
0004549278.tif 000007
【図７】
0004549278.tif 000008
【図８】
0004549278.tif 000009
【図９】
0004549278.tif 000010